(57)【特許請求の範囲】
【請求項１】
申込者の端末装置からサービス利用の申し込みに必要なデータを入力し、該データに基づいてサービス利用の申込登録を行うシステムにおいて、
サービス利用に必要な証明書データを入力する証明書データ入力手段と、該証明書データ入力手段から入力される前記証明書データを送信する第１の送信手段とを備えた端末装置と、
前記第１の送信手段から送信される前記証明書データを受信する第１の受信手段と、該第１の受信手段が受信した前記証明書データの真偽を判定する真偽判定手段と、前記端末装置と該端末装置から過去に入力された証明書データのチェック結果を対応付けた履歴情報を記憶する履歴情報記憶手段と、前記真偽判定手段の判定結果及び前記履歴情報記憶手段に記憶された履歴情報に基づき前記証明書データの総合判定を行う総合判定手段と、該総合判定手段の判定結果情報を出力する判定結果情報出力手段とを備えた申込登録サーバーと、
を備えたことを特徴とする不正申込防止システム。
【請求項２】
前記端末装置は携帯端末装置であり、前記証明書データ入力手段は該携帯端末装置に取り付けられたカメラであることを特徴とする請求項１記載の不正申込防止システム。
【請求項３】
前記証明書データは、前記カメラで撮影された運転免許証の画像データであることを特徴とする請求項２記載の不正申込防止システム。
【請求項４】
前記判定結果情報出力手段は、前記判定結果情報を送信する第２の送信手段であることを特徴とする請求項１乃至請求項３のいずれかに記載した不正申込防止システム。
【請求項５】
前記端末装置はサービス利用の申込データを入力する申込データ入力手段をさらに備え、前記第１の送信手段は前記申込データ入力手段から入力される前記申込データをさらに送信し、前記第１の受信手段は前記第１の送信手段から送信される前記申込データをさらに受信し、前記申込登録サーバーは前記第１の受信手段が受信した前記申込データを記憶する申込データ記憶手段をさらに備えたことを特徴とする請求項１乃至請求項４のいずれかに記載した不正申込防止システム。
【請求項６】
申込者の端末装置からサービス利用の申し込みに必要なデータを入力し、該データに基づいてサービス利用の申込登録を行うシステムにおいて、
サービス利用の申込データを入力する申込データ入力手段と、サービス利用に必要な証明書データを入力する証明書データ入力手段と、前記申込データ入力手段から入力される前記申込データ及び前記証明書データ入力手段から入力される前記証明書データを送信する第１の送信手段とを備えた端末装置と、
前記第１の送信手段から送信される前記申込データ及び前記証明書データを受信する第１の受信手段と、該第１の受信手段が受信した前記申込データを記憶する申込データ記憶手段と、前記第１の受信手段が受信した前記証明書データの真偽を判定する真偽判定手段と、前記端末装置と該端末装置から過去に入力された証明書データのチェック結果を対応付けた履歴情報を記憶する履歴情報記憶手段と、前記真偽判定手段の判定結果及び前記履歴情報記憶手段に記憶された履歴情報に基づき前記証明書データの総合判定を行う総合判定手段と、前記申込データ記憶手段に記憶された前記申込データ及び前記総合判定手段の判定結果情報を送信する第２の送信手段とを備えた申込登録サーバーと、
前記第２の送信手段から送信される前記申込データ及び前記判定結果情報を受信する第２の受信手段と、該第２の受信手段が受信した前記判定結果情報を表示する表示手段と、前記第２の受信手段が受信した前記申込データから選択された申込データを削除する申込データ削除手段と、前記申込データ削除手段が削除した前記申込データに基づいて更新履歴情報を生成する更新履歴情報生成手段とを備えた申込データ確認装置と、
を備えたことを特徴とする不正申込防止システム。
【請求項７】
前記申込データ確認装置は、前記第２の受信手段が受信した前記申込データであって前記申込データ削除手段が削除しない前記申込データを記憶する真正申込データ記憶手段と、該真正申込データ記憶手段に記憶された前記申込データに基づいてカード発行データを生成するカード発行データ生成手段をさらに備えた請求項６記載の不正申込防止システム。
【請求項８】
前記サービス利用は、口座開設、クレジットカードの利用、ローンカードの利用のいずれかであることを特徴とする請求項１乃至請求項７のいずれかに記載した不正申込防止システム。
【請求項９】
端末装置から送信されるサービス利用に必要な証明書データを受信する第１の受信手段と、
前記第１の受信手段が受信した前記証明書データの真偽を判定する真偽判定手段と、
前記端末装置と該端末装置から過去に入力された証明書データのチェック結果を対応付けた履歴情報を記憶する履歴情報記憶手段と、
前記真偽判定手段の判定結果及び前記履歴情報記憶手段に記憶された履歴情報に基づき前記証明書データの総合判定を行う総合判定手段と、
前記総合判定手段の判定結果情報を出力する判定結果情報出力手段と
を備えたことを特徴とする申込登録サーバー。
【請求項１０】
前記証明書データは、前記端末装置に取り付けられたカメラで撮影された運転免許証の画像データであることを特徴とする請求項９記載の申込登録サーバー。
【請求項１１】
前記判定結果情報出力手段は、前記判定結果情報を送信する第２の送信手段であることを特徴とする請求項９又は請求項１０記載の申込登録サーバー。
【請求項１２】
前記第１の受信手段は前記端末装置から送信されるサービス利用の申込データをさらに受信し、前記申込登録サーバーは前記第１の受信手段が受信した前記申込データを記憶する申込データ記憶手段をさらに備えたことを特徴とする請求項９乃至請求項１１のいずれかに記載した申込登録サーバー。
【請求項１３】
前記サービス利用は、口座開設、クレジットカードの利用、ローンカードの利用のいずれかであることを特徴とする請求項９乃至請求項１２のいずれかに記載した申込登録サーバー。
【請求項１４】
申込者の端末装置から入力されるサービス利用の申し込みに必要なデータに基づいて、前記端末装置と通信回線により接続された申込登録サーバーがサービス利用の申込登録を行う方法において、
前記申込登録サーバーが、
前記端末装置から送信されるサービス利用に必要な証明書データを受信する受信ステップと、
前記受信ステップで受信された前記証明書データの真偽を判定する真偽判定ステップと、
前記端末装置と該端末装置から過去に入力された証明書データのチェック結果を対応付けた履歴情報を記憶する履歴情報記憶ステップと、
前記真偽判定ステップの判定結果及び前記履歴情報記憶ステップで記憶された履歴情報に基づき前記証明書データの総合判定を行う総合判定ステップと、
前記総合判定部の判定結果情報を出力する判定結果情報出力ステップと
を備えたことを特徴とする不正申込防止方法。
【請求項１５】
前記証明書データは、前記端末装置に取り付けられたカメラで撮影された運転免許証の画像データであることを特徴とする請求項１４記載の不正申込防止方法。
【請求項１６】
前記判定結果情報出力ステップは、前記判定結果情報を送信する送信ステップであることを特徴とする請求項１４又は請求項１５記載の不正申込防止方法。
【請求項１７】
前記受信ステップは前記端末装置から送信されるサービス利用の申込データをさらに受信し、前記申込登録サーバーが、前記受信ステップで受信された前記申込データを記憶する申込データ記憶ステップをさらに備えたことを特徴とする請求項１４乃至請求項１６のいずれかに記載した不正申込防止方法。
【請求項１８】
申込者の端末装置から入力されるサービス利用の申し込みに必要なデータに基づいて、前記端末装置と通信回線により接続された申込登録サーバーがサービス利用の申込登録を行う方法において、
前記申込登録サーバーが、
前記端末装置から送信されるサービス利用の申込データ及びサービス利用に必要な証明書データを受信する第１の受信ステップと、
前記第１の受信ステップで受信された前記申込データを記憶する申込データ記憶ステップと、
前記第１の受信ステップで受信された前記証明書データの真偽を判定する真偽判定ステップと、
前記端末装置と該端末装置から過去に入力された証明書データのチェック結果を対応付けた履歴情報を記憶する履歴情報記憶ステップと、
前記真偽判定ステップの判定結果及び前記履歴情報記憶ステップに記憶された履歴情報に基づき前記証明書データの総合判定を行う総合判定ステップと、
前記申込データ記憶ステップで記憶された前記申込データ及び前記総合判定ステップでの判定結果情報を、前記申込登録サーバーと通信回線により接続された申込データ確認装置に送信する送信ステップとを備え、
前記申込データ確認装置が、
前記送信ステップで送信される前記申込データ及び前記判定結果情報を受信する第２の受信ステップと、
前記第２の受信ステップで受信された前記判定結果情報を表示する表示ステップと、
前記第２の受信ステップで受信された前記申込データから選択された申込データを削除する申込データ削除ステップと、
前記申込データ削除ステップで削除された前記申込データに基づいて更新履歴情報を生成する更新履歴情報生成ステップと、
を備えたことを特徴とする不正申込防止方法。
【請求項１９】
前記申込データ確認装置が、
前記第２の受信ステップで受信された前記申込データであって前記申込データ削除ステップで削除されない前記申込データを記憶する真正申込データ記憶ステップと、
前記真正申込データ記憶ステップで記憶された前記申込データに基づいてカード発行データを生成するカード発行データ生成ステップと、
をさらに備えたことを特徴とする請求項１８記載の不正申込防止方法。
【請求項２０】
前記サービス利用は、口座開設、クレジットカードの利用、ローンカードの利用のいずれかであることを特徴とする請求項１４乃至請求項１９のいずれかに記載した不正申込防止方法。
【請求項２１】
請求項１４乃至請求項２０のいずれかに記載した不正申込防止方法をコンピュータに実行させるプログラム。
【発明の詳細な説明】
【技術分野】
【０００１】
本発明は、申込者の端末装置から入力される申込データに基づいて各種口座開設、クレジットカードやローンカードの利用等のサービスを利用するための申込登録を行うシステムにおける不正申込防止システム、申込登録サーバー、不正申込防止方法及びプログラムに関するものである。
【背景技術】
【０００２】
銀行、証券会社、保険会社、カード会社等は、利用者に対して各種サービスを提供しているが、そのサービスを受けるには、利用者は、サービスを提供する銀行等に口座を開設したりカード利用等の申込をする必要がある。そのような口座開設やカード利用等の申込をするに際しては、所定の事項を記載した申込書を提出すると共に、申込者の本人確認のために運転免許証等の証明書の提示が必要となる。そして、提示された証明書の真偽がチェックされ、真正であれば口座開設やカード発行等に至る一連の手続が行われる。
近年、コンピュータ技術等の発展により、このような申し込みから口座開設やカード発行等の手続を自動化した各種システムが開発されている。
例えば、特開２０１３−２５５７１号公報（特許文献１）には、申込データと本人確認データを入力する入力端末と、本人確認データの真贋判定等を行う本人確認システムと、本人確認データが真正の場合に申込データから発行データを生成する管理システムと、カード発行端末を有するカード発行システムが開示されている。
また、最近の携帯端末機器の普及により、携帯端末機器を使用した口座申込システムも開発されている。
例えば、特開２０１４−２１７６５号公報（特許文献２）には、携帯情報端末、本人確認サーバ、口座開設サーバ等からなる口座申込システムであって、携帯情報端末において、口座申込のための複数の案内から選択した一の案内を実行し、申込者から受け付けた操作が一の案内に対応したものでない場合、一の案内とは異なる案内を選択して実行する口座申込システムが、本出願人によって開示されている。
【０００３】
そして、特許文献１のカード発行システムにおいては、入力端末から入力される本人確認データが真正であるか否かを、真贋判定ロジックテンプレート等を使用して判定し、真正であると判定された場合に、管理システムによる発行データの生成が行われる。また、特許文献２の口座申込システムにおいては、本人確認サーバにて、携帯情報端末から入力される本人確認用の証明情報が正当であるか、鍵情報記憶部に記憶された鍵情報を用いて判定し、正当であると判断された場合に口座開設処理が行われる。
しかしながら、特許文献１のカード発行システムや特許文献２の口座申込システムにおいては、本人確認システムや本人確認サーバが本人確認データ（証明情報）は真正（正当）であると判定した場合、口座開設処理等が行われるため、過去に本人確認データ（証明情報）が真正でないとして口座を開設できなかった悪意の申込者が、過去に用いた本人確認データとは異なる本人確認データを用いて口座申込を行った場合、本人確認データが真正であると判定されれば、口座を開設することができ、悪意のある申込者の不正な口座申込を防止できないという問題が生じていた。
【先行技術文献】
【特許文献】
【０００４】
【特許文献１】特開２０１３−２５５７１号公報
【特許文献２】特開２０１４−２１７６５号公報
【発明の概要】
【発明が解決しようとする課題】
【０００５】
本発明が解決しようとする課題は、申込者の端末装置から口座開設やカード利用等のサービス利用の申し込みに必要なデータを入力し、このデータに基づいて口座開設やカード利用等のサービス利用の申込登録を行うシステムにおいて、悪意のある申込者が、繰り返し行う不正な申込を防止できるようにすることである。
【課題を解決するための手段】
【０００６】
本発明は、申込者の端末装置からサービス利用の申し込みに必要なデータを入力し、該データに基づいてサービス利用の申込登録を行うシステムにおいて、サービス利用に必要な証明書データを入力する証明書データ入力手段と、該証明書データ入力手段から入力される前記証明書データを送信する第１の送信手段とを備えた端末装置と、前記第１の送信手段から送信される前記証明書データを受信する第１の受信手段と、該第１の受信手段が受信した前記証明書データの真偽を判定する真偽判定手段と、前記端末装置と該端末装置から過去に入力された証明書データのチェック結果を対応付けた履歴情報を記憶する履歴情報記憶手段と、前記真偽判定手段の判定結果及び前記履歴情報記憶手段に記憶された履歴情報に基づき前記証明書データの総合判定を行う総合判定手段と、該総合判定手段の判定結果情報を出力する判定結果情報出力手段とを備えた申込登録サーバーとを備えた不正申込防止システムを提供して、上記課題を解決するものである。
【０００７】
本発明は、前記端末装置は携帯端末装置であり、前記証明書データ入力手段は該携帯端末装置に取り付けられたカメラである不正申込防止システムを提供して、上記課題を解決するものである。
【０００８】
本発明は、前記証明書データは、前記カメラで撮影された運転免許証の画像データである不正申込防止システムを提供して、上記課題を解決するものである。
【０００９】
本発明は、前記判定結果情報出力手段は、前記判定結果情報を送信する第２の送信手段である不正申込防止システムを提供して、上記課題を解決するものである。
【００１０】
本発明は、前記端末装置はサービス利用の申込データを入力する申込データ入力手段をさらに備え、前記第１の送信手段は前記申込データ入力手段から入力される前記申込データをさらに送信し、前記第１の受信手段は前記第１の送信手段から送信される前記申込データをさらに受信し、前記申込登録サーバーは前記第１の受信手段が受信した前記申込データを記憶する申込データ記憶手段をさらに備えた不正申込防止システムを提供して、上記課題を解決するものである。
【００１１】
本発明は、申込者の端末装置からサービス利用の申し込みに必要なデータを入力し、該データに基づいてサービス利用の申込登録を行うシステムにおいて、サービス利用の申込データを入力する申込データ入力手段と、サービス利用に必要な証明書データを入力する証明書データ入力手段と、前記申込データ入力手段から入力される前記申込データ及び前記証明書データ入力手段から入力される前記証明書データを送信する第１の送信手段とを備えた端末装置と、前記第１の送信手段から送信される前記申込データ及び前記証明書データを受信する第１の受信手段と、該第１の受信手段が受信した前記申込データを記憶する申込データ記憶手段と、前記第１の受信手段が受信した前記証明書データの真偽を判定する真偽判定手段と、前記端末装置と該端末装置から過去に入力された証明書データのチェック結果を対応付けた履歴情報を記憶する履歴情報記憶手段と、前記真偽判定手段の判定結果及び前記履歴情報記憶手段に記憶された履歴情報に基づき前記証明書データの総合判定を行う総合判定手段と、前記申込データ記憶手段に記憶された前記申込データ及び前記総合判定手段の判定結果情報を送信する第２の送信手段とを備えた申込登録サーバーと、前記第２の送信手段から送信される前記申込データ及び前記判定結果情報を受信する第２の受信手段と、該第２の受信手段が受信した前記判定結果情報を表示する表示手段と、前記第２の受信手段が受信した前記申込データから選択された申込データを削除する申込データ削除手段と、前記申込データ削除手段が削除した前記申込データに基づいて更新履歴情報を生成する更新履歴情報生成手段とを備えた真正申込データ確認装置とを備えた不正申込防止システムを提供して、上記課題を解決するものである。
【００１２】
本発明は、前記申込データ確認装置が、前記第２の受信手段が受信した前記申込データであって前記申込データ削除手段が削除しない前記申込データを記憶する真正申込データ記憶手段と、該真正申込データ記憶手段に記憶された前記申込データに基づいてカード発行データを生成するカード発行データ生成手段をさらに備えた不正申込防止システムを提供して、上記課題を解決するものである。
【００１３】
本発明は、前記サービス利用は、口座開設、クレジットカードの利用、ローンカードの利用のいずれかである不正申込防止システムを提供して、上記課題を解決するものである。
【００１４】
本発明は、端末装置から送信されるサービス利用に必要な証明書データを受信する第１の受信手段と、前記第１の受信手段が受信した前記証明書データの真偽を判定する真偽判定手段と、前記端末装置と該端末装置から過去に入力された証明書データのチェック結果を対応付けた履歴情報を記憶する履歴情報記憶手段と、前記真偽判定手段の判定結果及び前記履歴情報記憶手段に記憶された履歴情報に基づき前記証明書データの総合判定を行う総合判定手段と、前記総合判定手段の判定結果情報を出力する判定結果情報出力手段とを備えた申込登録サーバーを提供して、上記課題を解決するものである。
【００１５】
本発明は、前記証明書データは、前記端末装置に取り付けられたカメラで撮影された運転免許証の画像データである申込登録サーバーを提供して、上記課題を解決するものである。
【００１６】
本発明は、前記判定結果情報出力手段は、前記判定結果情報を送信する第２の送信手段である申込登録サーバーを提供して、上記課題を解決するものである。
【００１７】
本発明は、前記第１の受信手段は前記端末装置から送信されるサービス利用の申込データをさらに受信し、前記申込登録サーバーは前記第１の受信手段が受信した前記申込データを記憶する申込データ記憶手段をさらに備えた申込登録サーバーを提供して、上記課題を解決するものである。
【００１８】
本発明は、前記サービス利用は、口座開設、クレジットカードの利用、ローンカードの利用のいずれかである申込登録サーバーを提供して、上記課題を解決するものである。
【００１９】
本発明は、申込者の端末装置から入力されるサービス利用の申し込みに必要なデータに基づいて、前記端末装置と通信回線により接続された申込登録サーバーがサービス利用の申込登録を行う方法において、前記申込登録サーバーが、前記端末装置から送信されるサービス利用に必要な証明書データを受信する受信ステップと、前記受信ステップで受信された前記証明書データの真偽を判定する真偽判定ステップと、前記端末装置と該端末装置から過去に入力された証明書データのチェック結果を対応付けた履歴情報を記憶する履歴情報記憶ステップと、前記真偽判定ステップの判定結果及び前記履歴情報記憶ステップで記憶された履歴情報に基づき前記証明書データの総合判定を行う総合判定ステップと、前記総合判定部の判定結果情報を出力する判定結果情報出力ステップとを備えた不正申込防止方法を提供して、上記課題を解決するものである。
【００２０】
本発明は、前記証明書データは、前記端末装置に取り付けられたカメラで撮影された運転免許証の画像データである不正申込防止方法を提供して、上記課題を解決するものである。
【００２１】
本発明は、前記判定結果情報出力ステップは、前記判定結果情報を送信する送信ステップである不正申込防止方法を提供して、上記課題を解決するものである。
【００２２】
本発明は、前記受信ステップは前記端末装置から送信されるサービス利用の申込データをさらに受信し、前記申込登録サーバーが、前記受信ステップで受信された前記申込データを記憶する申込データ記憶ステップをさらに備えた不正申込防止方法を提供して、上記課題を解決するものである。
【００２３】
本発明は、申込者の端末装置から入力されるサービス利用の申し込みに必要なデータに基づいて、前記端末装置と通信回線により接続された申込登録サーバーがサービス利用の申込登録を行う方法において、前記申込登録サーバーが、前記端末装置から送信されるサービス利用の申込データ及びサービス利用に必要な証明書データを受信する第１の受信ステップと、前記第１の受信ステップで受信された前記申込データを記憶する申込データ記憶ステップと、前記第１の受信ステップで受信された前記証明書データの真偽を判定する真偽判定ステップと、前記端末装置と該端末装置から過去に入力された証明書データのチェック結果を対応付けた履歴情報を記憶する履歴情報記憶ステップと、前記真偽判定ステップの判定結果及び前記履歴情報記憶ステップに記憶された履歴情報に基づき前記証明書データの総合判定を行う総合判定ステップと、前記申込データ記憶ステップで記憶された前記申込データ及び前記総合判定ステップでの判定結果情報を、前記申込登録サーバーと通信回線により接続された申込データ確認装置に送信する送信ステップとを備え、前記申込データ確認装置が、前記送信ステップで送信される前記申込データ及び前記判定結果情報を受信する第２の受信ステップと、前記第２の受信ステップで受信された前記判定結果情報を表示する表示ステップと、前記第２の受信ステップで受信された前記申込データから選択された申込データを削除する申込データ削除ステップと、前記申込データ削除ステップで削除された前記申込データに基づいて更新履歴情報を生成する更新履歴情報生成ステップとを備えた不正申込防止方法を提供して、上記課題を解決するものである。
【００２４】
本発明は、  前記申込データ確認装置が、前記第２の受信ステップで受信された前記申込データであって前記申込データ削除ステップで削除されない前記申込データを記憶する真正申込データ記憶ステップと、前記真正申込データ記憶ステップで記憶された前記申込データに基づいてカード発行データを生成するカード発行データ生成ステップとをさらに備えた不正申込防止方法を提供して、上記課題を解決するものである。
【００２５】
本発明は、前記サービス利用は、口座開設、クレジットカードの利用、ローンカードの利用のいずれかである不正申込防止方法を提供して、上記課題を解決するものである。
【００２６】
本発明は、前記不正申込防止方法をコンピュータに実行させるプログラムを提供して、上記課題を解決するものである。
【発明の効果】
【００２７】
本発明の不正申込防止システムにおいては、端末装置側で、証明書データ入力手段から入力されたサービス利用に必要な証明書データが第１の送信手段から送信され、申込登録サーバー側で、第１の受信手段にて受信された前記証明書データの真偽が真偽判定手段で判定され、この真偽判定手段の判定結果と、履歴情報記憶手段に記憶された前記端末装置と該端末装置から過去に入力された証明書データのチェック結果を対応付けた履歴情報とに基づき、総合判定手段にて前記証明書データの総合判定が行われて判定結果情報が出力されるため、悪意のある申込者が、繰り返し行う不正な申込を防止できるという効果を奏する。
【００２８】
本発明の不正申込防止システムにおいては、汎用性の高い携帯端末装置に取り付けられたカメラから前記証明書データが入力された場合に上記効果を奏する。
【００２９】
本発明の不正申込防止システムにおいては、前記証明書データは、前記カメラで撮影された運転免許証の画像データであるため、前記証明書データが最も頻繁に使用される運転免許証の画像データの場合に上記効果を奏する。
【００３０】
本発明の不正申込防止システムにおいては、前記判定結果情報出力手段は、前記判定結果情報を送信する第２の送信手段であるため、さらに、送信先に判定結果情報が送られるという効果を奏する。
【００３１】
本発明の不正申込防止システムにおいては、前記端末装置側で、さらに申込データ入力手段から入力されたサービス利用の申込データが前記第１の送信手段から送信され、前記申込登録サーバー側で、さらに前記第１の受信手段にて受信された前記申込データが申込データ記憶手段に記憶されるため、さらに、前記申込登録サーバー側でサービス利用の申込データが管理できるという効果を奏する。
【００３２】
本発明の不正申込防止システムにおいては、端末装置側で、証明書データ入力手段から入力されたサービス利用に必要な証明書データが第１の送信手段から送信され、申込登録サーバー側で、第１の受信手段にて受信された前記証明書データの真偽が真偽判定手段で判定され、この真偽判定手段の判定結果と、履歴情報記憶手段に記憶された前記端末装置と該端末装置から過去に入力された証明書データのチェック結果を対応付けた履歴情報とに基づき、総合判定手段にて前記証明書データの総合判定が行われて判定結果情報が第２の送信手段から送信され、申込データ確認装置側で、第２の受信手段にて受信された前記判定結果情報が表示手段に表示され、第２の受信手段にて受信された前記申込データから選択された申込データが申込データ削除手段で削除され、削除した前記申込データに基づいて更新履歴情報生成手段にて更新履歴情報を生成されるため、不正な申込データを削除でき、最新の前記履歴情報に基づいて、悪意のある申込者が、繰り返し行う不正な申込を防止できるという効果を奏する。
【００３３】
本発明の不正申込防止システムにおいては、前記申込データ確認装置側で、さらに、前記第２の受信手段が受信した前記申込データであって前記申込データ削除手段が削除しない前記申込データが真正申込データ記憶手段に記憶され、この記憶された前記申込データに基づいて、カード発行データ生成手段にてカード発行データを生成されるため、さらに、不正な申込データが削除された真正な申込データからカード発行データを生成されるという効果を奏する。
【００３４】
本発明の不正申込防止システムにおいては、前記サービス利用は、口座開設、クレジットカードの利用、ローンカードの利用のいずれかであるため、口座開設、クレジットカードの利用、ローンカードの利用の際に上記効果を奏する。
【００３５】
本発明の申込登録サーバーは上記不正申込防止システムに使用され、本発明の申込登録サーバーにおいては、第１の受信手段にて受信された前記証明書データの真偽が真偽判定手段で判定され、この真偽判定手段の判定結果と、履歴情報記憶手段に記憶された前記端末装置と該端末装置から過去に入力された証明書データのチェック結果を対応付けた履歴情報とに基づき、総合判定手段にて前記証明書データの総合判定が行われて判定結果情報が出力されるため、悪意のある申込者が、繰り返し行う不正な申込を防止できるという効果を奏する。
【００３６】
本発明の申込登録サーバーにおいては、前記証明書データは、前記端末装置に取り付けられたカメラで撮影された運転免許証の画像データであるため、前記証明書データが最も頻繁に使用される運転免許証の画像データの場合に上記効果を奏する。
【００３７】
本発明の申込登録サーバーにおいては、前記判定結果情報出力手段は、前記判定結果情報を送信する第２の送信手段であるため、さらに、送信先に判定結果情報が送られるという効果を奏する。
【００３８】
本発明の申込登録サーバーにおいては、前記第１の受信手段にて受信された前記申込データが申込データ記憶手段に記憶されるため、さらに、前記申込登録サーバー側でサービス利用の申込データが管理できるという効果を奏する。
【００３９】
本発明の申込登録サーバーにおいては、前記サービス利用は、口座開設、クレジットカードの利用、ローンカードの利用のいずれかであるため、口座開設、クレジットカードの利用、ローンカードの利用の際に上記効果を奏する。
【００４０】
本発明の不正申込防止方法においては、端末装置から送信されるサービス利用に必要な証明書データが受信され、受信された前記証明書データの真偽が判定され、前記端末装置と該端末装置から過去に入力された証明書データのチェック結果を対応付けた履歴情報を記憶され、前記真偽判定の判定結果及び前記記憶された履歴情報に基づき前記証明書データの総合判定が行われ、その判定結果情報が出力されるため、悪意のある申込者が、繰り返し行う不正な申込を防止できるという効果を奏する。
【００４１】
本発明の不正申込防止方法においては、前記証明書データは、前記端末装置に取り付けられたカメラで撮影された運転免許証の画像データであるため、前記証明書データが最も頻繁に使用される運転免許証の画像データの場合に上記効果を奏する。
【００４２】
本発明の不正申込防止方法においては、前記判定結果情報が送信されるため、さらに、送信先に判定結果情報が送られるという効果を奏する。
【００４３】
本発明の不正申込防止方法においては、前記端末装置から送信されるサービス利用の申込データが受信されて記憶されるため、さらに、サービス利用の申込データが管理できるという効果を奏する。
【００４４】
本発明の不正申込防止方法においては、端末装置から送信されるサービス利用の申込データ及びサービス利用に必要な証明書データが受信され、受信された前記申込データが記憶され、前記受信された前記証明書データの真偽が判定され、前記端末装置と該端末装置から過去に入力された証明書データのチェック結果を対応付けた履歴情報が記憶され、前記真偽判定の判定結果及び前記記憶された履歴情報に基づき前記証明書データの総合判定が行われ、  前記記憶された前記申込データ及び前記総合判定での判定結果情報が送信され、送信された前記申込データ及び前記判定結果情報が受信され、受信された前記判定結果情報が表示され、前記受信された前記申込データから選択された申込データが削除され、前記削除された前記申込データに基づいて更新履歴情報を生成されるため、不正な申込データを削除でき、最新の前記履歴情報に基づいて、悪意のある申込者が、繰り返し行う不正な申込を防止できるという効果を奏する。
【００４５】
本発明の不正申込防止方法においては、前記受信された前記申込データであって削除されない前記申込データが記憶され、記憶された前記申込データに基づいてカード発行データが生成されるため、さらに、不正な申込データが削除された真正な申込データからカード発行データを生成されるという効果を奏する。
【００４６】
本発明の不正申込防止方法においては、前記サービス利用は、口座開設、クレジットカードの利用、ローンカードの利用のいずれかであるため、口座開設、クレジットカードの利用、ローンカードの利用の際に上記効果を奏する。
【００４７】
本発明のプログラムは、前記不正申込防止方法の発明と同様の効果を奏する。
【図面の簡単な説明】
【００４８】
【図１】本発明の不正申込防止システムの一実施形態の全体構成の外観を示す外観構成図である。
【図２】図１の携帯端末装置１０及び申込登録サーバー２０の機能構成を示すブロック図である。
【図３】図２の履歴情報記憶部２７に記憶された履歴情報の一例を説明した説明図である。
【図４】図２の総合判定部２４が行う総合判定の例を説明する説明図である。
【図５】図１の申込データ確認装置３０の機能構成を示すブロック図である。
【図６】不正申込防止システム１の動作の概要を示したフローチャートである。
【図７】携帯端末装置１０の動作を示したフローチャートである。
【図８】申込登録サーバー２０の動作を示したフローチャートである。
【図９】申込データ確認装置３０の動作を示したフローチャートである。
【発明を実施するための形態】
【００４９】
［不正申込防止システムの全体構成］
まず、本発明の不正申込防止システムの全体構成について説明する。
図１は、本発明の不正申込防止システムの一実施形態の全体構成の外観を示す外観構成図である。図中、１は不正申込防止システム、２は口座開設に必要な証明書、３、４は通信回線、１０は本発明の端末装置である携帯端末装置、２０は申込登録サーバー、３０は申込データ確認装置である。
図に示すように、不正申込防止システム１は、携帯端末装置１０、申込登録サーバー２０及び申込データ確認装置３０から構成され、携帯端末装置１０は、通信回線３を介して申込登録サーバー２０に接続され、申込登録サーバー２０は、通信回線４を介して申込データ確認装置３０に接続されている。
証明書２は、口座開設に必要な本人確認資料となるもので、運転免許証、保険証、住基カード、パスポート、その他ＩＤカード等が使用され、本実施形態では、運転免許証が使用されている。
【００５０】
図２は、図１の携帯端末装置１０及び申込登録サーバー２０の機能構成を示すブロック図であり、図中、１１は本発明の証明書データ入力手段となるカメラ、１２は画像データ保存部、１３は本発明の申込データ入力手段となる申込データ入力部、１４は申込データ保存部、１５は本発明の第１の送信手段となる送信部、２１は本発明の第１の受信手段となる受信部、２２は申込・画像データ登録部、２３は本発明の真偽判定手段となる真偽判定部、２４は本発明の総合判定手段となる総合判定部、２５は履歴情報更新部、２６は本発明の申込データ記憶手段として機能する申込・画像データ記憶部であり、２７は本発明の履歴情報記憶手段となる履歴情報記憶部であり、２８は本発明の第２の送信手段となる送信部である。
【００５１】
［携帯端末装置１０］
図２に示すように、携帯端末装置１０は、カメラ１１、画像データ保存部１２、申込データ入力部１３、申込データ保存部１４、送信部１５等から構成される。
カメラ１１は、携帯端末装置１０に取り付けられ、証明書（運転免許証）２の表面を撮影し、そこに記載されている事項等を画像データとして携帯端末装置１０に取り込む。このカメラ１１で撮影されて取り込まれた証明書（運転免許証）２の画像データは、本人確認用資料となる証明書データとして画像データ保存部１２に一旦保存される。
申込データ入力部１３は、携帯端末装置１０の表示画面（図示せず）に表示された所定のフォーマットからなる入力画面（図示せず）等から構成され、申込者は、この入力画面から口座開設やカード利用等のサービス利用（以下「口座開設等」という。）の申込をするために必要な事項を入力する。この申込データ入力部１３から入力された事項は、申込データとして申込データ保存部１４に一旦保存される。
そして、画像データ保存部１２に一旦保存された運転免許証の画像データ（証明書データ）と、申込データ保存部１４に一旦保存された申込データは、送信部１５から通信回線３を介して申込登録サーバー２０に送信される。
【００５２】
［証明書データ］
本実施形態においては、口座開設等の申込者の本人確認用資料として運転免許証を使用し、運転免許証をカメラ１１で撮影して得られた画像データを証明書データとしている。運転免許証は、口座開設等の申込者の多くが所有し、他の証明書に比較して偽造しにくく、また真偽判定も比較的容易であることから、本発明に使用する証明書（データ）に適している。
なお、本発明における証明書データは、運転免許証の画像データに限定されるものではなく、保険証、パスポート等に記載された事項をカメラで撮影した画像データでもよく、ＩＣカード運転免許証や住基カード等のＩＣチップに書き込まれたデータでもよい。
【００５３】
［申込登録サーバー２０］
図２に示すように、申込登録サーバー２０は、受信部２１、申込・画像データ登録部２２、真偽判定部２３、総合判定部２４、履歴情報更新部２５、申込・画像データ記憶部２６、履歴情報記憶部２７及び送信部２８等から構成される。
受信部２１は、携帯端末装置１０の送信部１５から通信回線２１を介して送信された申込データ、運転免許証の画像データ（証明書データ）等を受信する。受信部２１が受信した申込データと画像データ（証明書データ）は申込・画像データ登録部２２に送られ、さらに、画像データ（証明書データ）は真偽判定部に送られる。
申込・画像データ登録部２２は、受信部２１から送られてくる申込データと画像データ（証明書データ）を申込・画像データ記憶部２６に記憶させると共に、送信部２８に送る。
真偽判定部２３は、受信部２１から送られてくる画像データ（証明書データ）の真偽判定を行う。具体的には、画像データ（証明書データ）のＯＣＲ処理により画像データから文字・記号等を認識し、認識した文字・記号等が所定のルールに適合するかを判定する。例えば、運転免許証番号が採番ルールに準じたものであるか、生年月日と取得年が適正か、住所の都道府県と公安委員会の整合性が取れているかを判定する。
そして、真偽判定部２３は、認識した文字・記号等が所定のルールに適合する場合は「偽造の疑いなし」の判定結果を出し、認識した文字・記号等が所定のルールに適合ない場合は「偽造の疑いあり」の判定結果を出し、この判定結果を総合判定部２４に送る。
総合判定部２４は、真偽判定部２４からの判定結果及び履歴情報記憶部２７に記憶された履歴情報（後述する）に基づき、画像データ（証明書データ）の総合判定を行い、その結果を判定結果情報（後述する）として送信部２８に送る。
履歴情報更新部２５は、申込データ確認装置３０から通信回線４を介して送られ、受信部２１が受信した更新履歴情報（後述する）に基づいて、履歴情報記憶部２７に記憶された履歴情報を更新する。
送信部２８は、申込・画像データ登録部２２からの申込データと画像データ（証明書データ）や総合判定部２４からの判定結果情報を、通信回線４を介して申込データ確認装置３０に送信する。
【００５４】
［履歴情報］
図３は、履歴情報記憶部２７に記憶された履歴情報の一例を説明した説明図であり、図において５０は履歴情報テーブルである。
履歴情報テーブル５０は、携帯端末装置１０を特定する端末ＩＤとチェック結果を対応付けたものである。端末ＩＤとしては、例えばUUID（Universally Unique Identifier）やＩＰアドレスが使用される。UUIDは、「550e8400-e29b-41d4-a716-446655440000」のように表現される１６進数の数値である。チェック結果は、過去に携帯端末装置１０を使用して口座開設の申込があったときに、その携帯端末装置１０から入力された証明書データの真偽を最終判定した結果であり、「０」は真正であると判定した場合を示し、「１」は偽造であると判定した場合を示している。
そして、携帯端末装置１０の端末ＩＤは、携帯端末装置１０から入力される画像データに付加されて携帯端末装置１０から申込登録サーバー２０に送信される。
図３においては、端末ＩＤが「aaa………aaa」、「aaa………bbb」の携帯端末装置１０から入力された証明書データの最終判定結果は「０」であり、端末ＩＤが「aaa………zzz」、の携帯端末装置１０から入力された証明書データの最終判定結果は「１」となっている。
このように履歴情報は、携帯端末装置１０を特定する端末ＩＤとその携帯端末装置１０から入力された証明書データのチェック結果を対応付けた履歴情報テーブルとして履歴情報記憶部２７に記憶されている。
なお、本実施形態においては、履歴情報（履歴情報テーブル５０）は、過去に口座開設の申込を行ったすべての携帯端末装置１０について、端末ＩＤと証明書データのチェック結果を記録しているが、証明書データのチェック結果が「１」（偽造と最終判定したもの）の場合のみを記録したものであってもよい。
【００５５】
［総合判定部２４の判定結果情報］
総合判定部２４は、真偽判定部２４からの判定結果と履歴情報記憶部２７に記憶された履歴情報に基づいた総合判定を行い、その結果を判定結果情報として出力する。
具体的には、総合判定部２４は、画像データ（証明書データ）を入力した携帯端末装置１０の端末ＩＤで履歴情報記憶部２７の履歴情報（履歴情報テーブル５０）を検索し、その検索結果と真偽判定部２４からの判定結果（「偽造の疑いなし」または「偽造の疑いあり）に基づいた総合判定を行う。
図４は、総合判定部２４が行う総合判定の例を説明する説明図であり、図において左欄の「偽造判定結果レベル」が判定結果情報となる。
図４に示すように、真偽判定部２４からの判定結果が「偽造の疑いなし」の場合において、履歴情報（履歴情報テーブル５０）に端末ＩＤがない場合、あるいは、端末ＩＤがあっても履歴情報（チェック結果）が「０」の場合には、偽造判定結果レベルを「０」とし、端末ＩＤがあって履歴情報（チェック結果）が「１」の場合には、偽造判定結果レベルを「１」とする。
このように真偽判定部２４からの判定結果が「偽造の疑いなし」の場合であっても、履歴情報（チェック結果）が「１」の場合には、偽造判定結果レベルを「１」として、不正な申込の可能性ありとして調査確認することができる。
また、真偽判定部２４からの判定結果が「偽造の疑いあり」の場合において、履歴情報（履歴情報テーブル５０）に端末ＩＤがない場合、あるいは、端末ＩＤがあっても履歴情報（チェック結果）が「０」の場合には、偽造判定結果レベルを「２」とし、端末ＩＤがあって履歴情報（チェック結果）が「１」の場合には、偽造判定結果レベルを「３」とする。
このように真偽判定部２４からの判定結果が「偽造の疑いあり」の場合において、履歴情報（チェック結果）が「１」の場合には、偽造判定結果レベルを「３」として、不正な申込の可能性が高いとして調査確認することができる。
以上のように真偽判定部２４からの判定結果と履歴情報に基づく総合判断を行うことより、真偽判定部２４からの判定結果のみによる判断に比べて、不正な申込の可能性のあるものをより的確に調査確認することができる。
【００５６】
［申込データ確認装置３０］
図５は、図１の申込データ確認装置３０の機能構成を示すブロック図であり、図中、３１は本発明の第２の受信手段となる受信部、３２は判定結果情報保存部、３３は申込・画像データ保存部、３４は本発明の表示手段となる表示部、３５は本発明の申込データ削除手段となる申込データ削除部、３６は申込データ登録部、３７は本発明の更新履歴情報生成部となる更新履歴情報生成部、３８は本発明の真正申込データ記憶手段となる真正申込データ記憶部、３９は本発明のカード発行データ生成手段となるカード発行データ生成部であり、４０は送信部である。
受信部３１は、申込登録サーバー２０の送信部２８から送信される判定結果情報、申込データと画像データ（証明書データ）を受信し、判定結果情報は判定結果情報保存部３２に送り、申込データと画像データ（証明書データ）は申込・画像データ保存部３３に送る。
判定結果情報保存部３２は、判定結果情報を一旦保存すると共に、保存した判定結果情報を表示部３４に送り、申込・画像データ保存部３３は、申込データと画像データ（証明書データ）を一旦保存すると共に、保存した申込データと画像データ（証明書データ）を表示部３４に送り、表示部３４には、判定結果情報、及び申込データと画像データ（証明書データ）が表示される。
これにより、不正な申込をチェックする者（確認判断者）は、表示部３４に表示された判定結果情報を参考にしながら、表示部３４に表示された申込データと画像データ（証明書データ）が不正なものか確認して判断することができる。
そして、確認判断者は、申込・画像データ保存部３３に保存されている申込データの中から、不正であると判断した申込データを選択する。
【００５７】
申込データ削除部３５は、申込・画像データ保存部３３に保存されている申込データのうち、確認判断者により不正であると判断されて選択された申込データを削除し、削除しない申込データを申込データ登録部３６に送る。
申込データ登録部３６は、申込データ削除部３５から送られてきた削除されない申込データを真正な申込データとして真正申込データ記憶部３８に記憶する。
そして、カード発行データ生成部３９は、真正申込データ記憶部３８に記憶された申込データからカード発行データを生成し、生成したカード発行データに基づいてカード発行処理（図示せず）がなされる。
このとき、カード発行データ生成部３９は、真正申込データ記憶部３８に記憶された申込データのうち、生成したカード発行データに対応する申込データについて発行済みフラグを付与する。これにより、カードの二重発行が防止される。
【００５８】
また、申込データ削除部３５は、削除した申込データに対応する端末ＩＤと削除しなかった申込データに対応する端末ＩＤを区別して更新履歴情報生成部３７に送る。
更新履歴情報生成部３７は、申込データ削除部３５から送られてくる端末ＩＤに、申込データを削除したか削除しなかったかのチェック結果の情報（削除したものは「１」、削除しなかったものは「０」）を付加した更新履歴情報を生成し、生成した更新履歴情報を送信部４０に送る。
そして、送信部４０は、更新履歴情報生成部３７からの更新履歴情報を通信回線４を介して申込登録サーバー２０に送信する。
申込登録サーバー２０の受信部２１は、申込データ確認装置３０から送信された更新履歴情報を受信し、受信した更新履歴情報を履歴情報更新部２５に送る。
申込登録サーバー２０の履歴情報更新部２５は、受信部２１からの更新履歴情報により履歴情報記憶部２７に記憶された履歴情報の更新を行う。すなわち、履歴情報更新部２５は、更新履歴情報にある端末ＩＤで履歴情報テーブル５０（図３）を検索し、一致する端末ＩＤがない場合は、その端末ＩＤとチェック結果を履歴情報テーブル５０に追加する。一致する端末ＩＤがある場合は、履歴情報テーブル５０のチェック結果を更新履歴情報のチェック結果に書き換える。
これにより、履歴情報記憶部２７には最新の端末ＩＤとチェック結果が記憶されることとなる。
【００５９】
［不正申込防止システム１の動作の概要］
図６は、不正申込防止システム１の動作の概要を示したフローチャートである。
図に示すように、不正申込防止システム１の動作は、携帯端末装置１０において、申込データ、画像データ（証明書データ）の入力等を行うステップ（Ｓ１）、申込登録サーバー２０において、申込データ、画像データの記憶、画像データの真偽判定、その判定結果と履歴情報に基づく総合判定等を行うステップ（Ｓ２）、申込データ確認装置３０において、判定結果情報、申込データと画像データの表示、申込データの削除、申込データの記憶、更新履歴情報の生成、カード発行データの生成等を行うステップ（Ｓ３）からなっている。
以下、携帯端末装置１０、申込登録サーバー２０及び申込データ確認装置３０の動作を説明する。
【００６０】
［携帯端末装置１０の動作］
図７は、携帯端末装置１０の動作を示したフローチャートである。以下、携帯端末装置１０の動作を説明する。
まず、カメラ１１が証明書（運転免許証）２の表面を撮影し、そこに記載されている事項等を画像データ（証明書データ）として入力し（Ｓ１０）、入力した画像データを画像データ保存部１２に一旦保存する（Ｓ１１）。
次いで、申込データ入力部１３が口座開設等の申込をするために必要な申込データを入力し（Ｓ１２）、入力した申込データを一旦申込データ保存部１４に保存する（Ｓ１３）。
最後に、送信部１５が、一旦保存した申込データ及び画像データを申込登録サーバー２０送信する（Ｓ１４）。
なお、このとき画像データ（証明書データ）には携帯端末装置１０を特定する端末ＩＤが付加される。
【００６１】
［申込登録サーバー２０の動作］
図８は、申込登録サーバー２０の動作を示したフローチャートである。以下、申込登録サーバー２０の動作を説明する。
まず、受信部２１が、携帯端末装置１０から送信される申込データ及び画像データ（証明書データ）等を受信し（Ｓ２０）、受信した申込データ及び画像データを申込・画像データ登録部２２に送った後、申込・画像データ記憶部２６に記憶する（Ｓ２１）。
次いで、真偽判定部２３が、画像データ（証明書データ）の真偽判定を行う（Ｓ２２）。画像データ（証明書データ）の真偽判定は、画像データから文字・記号等を認識し、認識した文字・数字・記号等が所定のルールに適合するかを判定することにより行う。
そして、真偽判定部２３は、認識した文字・記号等が所定のルールに適合する場合は「偽造の疑いなし」の判定結果を出し、認識した文字・記号等が所定のルールに適合ない場合は「偽造の疑いあり」の判定結果を出す。
次いで、総合判定部２４が、真偽判定部２４からの判定結果及び履歴情報記憶部２７に記憶された履歴情報に基づき、画像データ（証明書データ）の総合判定を行い、その結果を判定結果情報として出力する（Ｓ２３）。
最後に、送信部２８が、申込・画像データ登録部２２からの申込データと画像データ（証明書データ）、総合判定部２４からの判定結果情報を申込データ確認装置３０に送信する（Ｓ２４）。
【００６２】
［申込データ確認装置３０の動作］
図９は、申込データ確認装置３０の動作を示したフローチャートである。以下、申込データ確認装置３０の動作を説明する。
まず、受信部３１が、判定結果情報、申込データと画像データ（証明書データ）を受信する（Ｓ３０）。
受信した判定結果情報は、判定結果情報保存部３２に一旦保存した後表示部３４に表示し、受信した申込データと画像データは、申込・画像データ保存部３３に一旦保存した後表示部３４に表示する（Ｓ３１）。
次いで、申込データ削除部３５が、申込・画像データ保存部３３に保存されている申込データのうち、確認判断者により不正であると判断されて選択された申込データを削除する（Ｓ３２）。
次いで、申込データ登録部３６が、申込データ削除部３５から送られてきた削除されない申込データを真正な申込データとして真正申込データ記憶部３８に記憶する（Ｓ３３）。
そして、カード発行データ生成部３９が、真正申込データ記憶部３８に記憶された申込データからカード発行データを生成する（Ｓ３４）。
一方、更新履歴情報生成部３７が、申込データ削除部３５から送られてくる端末ＩＤに、申込データを削除したか削除しなかったかのチェック結果の情報を付加した更新履歴情報を生成する（Ｓ３５）。
最後に、送信部４０が、更新履歴情報生成部３７からの更新履歴情報を申込登録サーバー２０に送信する（Ｓ３６）。
この後、申込登録サーバー２０において、受信部２１が、申込データ確認装置３０から送信された更新履歴情報を受信し、履歴情報更新部２５が、受信部した更新履歴情報により履歴情報記憶部２７に記憶された履歴情報の更新を行う。
【産業上の利用可能性】
【００６３】
本発明の不正申込防止システム、申込登録サーバー、不正申込防止方法及びプログラムは、申込者の端末装置から口座開設等の申し込みに必要なデータを入力し、このデータに基づいて口座開設等の申込登録を行うシステムにおいて、悪意のある申込者が、繰り返し行う不正な申込を防止できる。
【符号の説明】
【００６４】
１  不正申込防止システム
２  証明書（運転免許証）
３、４  通信回線
１０  端末装置（携帯端末装置）
１１  カメラ
１２  画像データ保存部
１３  申込データ入力部
１４  申込データ保存部
１５  送信部
２０  申込登録サーバー
２１  受信部
２２  申込・画像データ登録部
２３  真偽判定部
２４  総合判定部
２５  履歴情報更新部
２６  申込・画像データ記憶部
２７  履歴情報記憶部
２８  送信部
３０  申込データ確認装置
３１  受信部
３２  判定結果情報保存部
３３  申込・画像データ保存部
３４  表示部
３５  申込データ削除部
３６  申込データ登録部
３７  更新履歴情報生成部
３８  真正申込データ記憶部
３９  カード発行データ生成部
４０  送信部
５０  履歴情報テーブル
【図１】
0006641996.tif 000002
【図２】
0006641996.tif 000003
【図３】
0006641996.tif 000004
【図４】
0006641996.tif 000005
【図５】
0006641996.tif 000006
【図６】
0006641996.tif 000007
【図７】
0006641996.tif 000008
【図８】
0006641996.tif 000009
【図９】
0006641996.tif 000010